【手続補正書】
【提出日】平成15年12月15日(2003.12.15)
【手続補正１】
【補正対象書類名】明細書
【補正対象項目名】特許請求の範囲
【補正方法】変更
【補正の内容】
【特許請求の範囲】
【請求項１】
少なくとも一方が炭素質表面を有する第１電極および第２電極と、少なくとも１つの溶剤を含む電解質とを有する電池用添加剤であって、前記添加剤の分子量が１０５以上、１０００以下であり、下記一般式（１）、（２）又は（３）で表される電池用添加剤。
【化１】
2001057214.tif 000001
｛但し、式中、ｎは、０、１、２又は３であり；Ｒ１、Ｒ２、Ｒ３及びＲ４は、それぞれ独立に水素または炭素数１〜１２の直鎖または分岐状アルキル基を示し；Ａは、下記群から選択された少なくとも１つの基を示し、
【化２】
2001057214.tif 000002
（式中、破線部分は結合箇所を表し；Ｒａ、Ｒｂ、Ｒｃは、それぞれ独立に水素または炭素数１〜１２の直鎖または分岐状アルキル基を示す。）；Ｘは、前記Ａで示されるのと同一の基、炭素数１〜１２の直鎖または分岐状アルキル基、及び下記式で示す基から選択される少なくとも１つの基を示し、
【化３】
2001057214.tif 000003
（式中、破線部分は結合箇所を表し；Ｒは、水素または炭素数１〜１２の直鎖または分岐状アルキル基を示す。）；Ｂは、前記Ａで示されるのと同一の基または下記群から選択された少なくとも１つの基を示し、
【化４】
2001057214.tif 000004
（式中、破線部分は結合箇所を表し；Ｒ１１、Ｒ１２、Ｒ１３、Ｒ１４、Ｒ１５、Ｒ１６、Ｒ１７及びＲ１８は、それぞれ独立に水素または炭素数１〜１２の直鎖または分岐状アルキル基を示す。）；Ｂ１及びＢ２は、それぞれ独立に水素または炭素数１〜１２の直鎖または分岐状アルキル基、もしくは下記で示す基から成る。
【化５】
2001057214.tif 000005
（式中、破線部分は結合箇所を表す。）｝
【請求項２】
前記添加剤が、４−メチル−ジヒドロ−ピラン−２，６−ジオン、イソホロン、８−メチル−４−オキサ−トリシクロ［５．２．１．０２．６］デカ−８−エン−３，５−ジオン、６ａ−メチル−ジヒドロ−フロ［２，３−ｂ］フラン−２，５−ジオン、１，８，８−トリメチル−３−オキサ−ビシクロ［３．２．１］オクタン−２，４−ジオン、７−オキサ−ビシクロ［４．１．０］ヘプタン−３−カルボン酸  ７−オキサ−ビシクロ［４．１．０］ヘプタ−３−イルメチルエステル、１−メチル−ピロリジン−２，５−ジオンである請求項１に記載の電池用添加剤。
【請求項３】
少なくとも一方が炭素質表面を有する第１電極および第２電極と電解質とを有する電池において、さらに、下記一般式（１）、（２）又は（３）で表され、分子量が１０５以上、１０００以下である添加剤を有することを特徴とする電池。
【化６】
2001057214.tif 000006
｛但し、式中、ｎは、０、１、２又は３であり；Ｒ１、Ｒ２、Ｒ３及びＲ４は、それぞれ独立に水素または炭素数１〜１２の直鎖または分岐状アルキル基を示し；Ａは、下記群から選択された少なくとも１つの基を示し、
【化７】
2001057214.tif 000007
（式中、破線部分は結合箇所を表し；Ｒａ、Ｒｂ、Ｒｃは、それぞれ独立に水素または炭素数１〜１２の直鎖または分岐状アルキル基を示す。）；Ｘは、前記Ａで示されるのと同一の基、炭素数１〜１２の直鎖または分岐状アルキル基、及び下記式で示す基から選択される少なくとも１つの基を示し、
【化８】
2001057214.tif 000008
（式中、破線部分は結合箇所を表し；Ｒは、水素または炭素数１〜１２の直鎖または分岐状アルキル基を示す。）；Ｂは、前記Ａで示されるのと同一の基または下記群から選択された少なくとも１つの基を示し、
【化９】
2001057214.tif 000009
（式中、破線部分は結合箇所を表し；Ｒ１１、Ｒ１２、Ｒ１３、Ｒ１４、Ｒ１５、Ｒ１６、Ｒ１７及びＲ１８は、それぞれ独立に水素または炭素数１〜１２の直鎖または分岐状アルキル基を示す。）；Ｂ１及びＢ２は、それぞれ独立に水素または炭素数１〜１２の直鎖または分岐状アルキル基、もしくは下記で示す基から成る。
【化１０】
2001057214.tif 000010
（式中、破線部分は結合箇所を表す。）｝
【請求項４】
起電力物質がリチウムである請求項３に記載の電池。
【請求項５】
前記一般式（１）、（２）又は（３）で表される化合物が電解質および／または炭素質表面を有する第１および／または第２電極に含有される請求項３または４に記載の電池。
【請求項６】
請求項３〜５の何れかの電池に対して、少なくとも１回の充電操作を施してなる電池。
【請求項７】
請求項３〜５の何れかの電池に対して、少なくとも１回の充電操作を施すことを特徴とする不動態化層を有する電池の製造方法。
【請求項８】
溶剤とリチウム塩とを含有する電解液において、下記一般式（１）、（２）又は（３）で表され、分子量が１０５以上、１０００以下である添加剤を有することを特徴とする電解液。
【化１１】
2001057214.tif 000011
｛但し、式中、ｎは、０、１、２又は３であり；Ｒ１、Ｒ２、Ｒ３及びＲ４は、それぞれ独立に水素または炭素数１〜１２の直鎖または分岐状アルキル基を示し；Ａは、下記群から選択された少なくとも１つの基を示し、
【化１２】
2001057214.tif 000012
（式中、破線部分は結合箇所を表し；Ｒａ、Ｒｂ、Ｒｃは、それぞれ独立に水素または炭素数１〜１２の直鎖または分岐状アルキル基を示す。）；Ｘは、前記Ａで示されるのと同一の基、炭素数１〜１２の直鎖または分岐状アルキル基、及び下記式で示す基から選択される少なくとも１つの基を示し、
【化１３】
2001057214.tif 000013
（式中、破線部分は結合箇所を表し；Ｒは、水素または炭素数１〜１２の直鎖または分岐状アルキル基を示す。）；Ｂは、前記Ａで示されるのと同一の基または下記群から選択された少なくとも１つの基を示し、
【化１４】
2001057214.tif 000014
（式中、破線部分は結合箇所を表し；Ｒ１１、Ｒ１２、Ｒ１３、Ｒ１４、Ｒ１５、Ｒ１６、Ｒ１７及びＲ１８は、それぞれ独立に水素または炭素数１〜１２の直鎖または分岐状アルキル基を示す。）；Ｂ１及びＢ２は、それぞれ独立に水素または炭素数１〜１２の直鎖または分岐状アルキル基、もしくは下記で示す基から成る。
【化１５】
2001057214.tif 000015
（式中、破線部分は結合箇所を表す。）｝
【手続補正２】
【補正対象書類名】明細書
【補正対象項目名】０００６
【補正方法】変更
【補正の内容】
【０００６】
本発明は、上記の知見に基づき完成されたものであり、その第１の要旨は、少なくとも一方が炭素質表面を有する第１電極および第２電極と、少なくとも１つの溶剤を含む電解質とを有する電池用添加剤であって、前記添加剤の分子量が１０５以上、１０００以下であり、下記一般式（１）、（２）又は（３）で表される電池用添加剤に存する。


【手続補正３】
【補正対象書類名】明細書
【補正対象項目名】００１７
【補正方法】削除
【補正の内容】
【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】削除
【補正の内容】
【手続補正６】
【補正対象書類名】明細書
【補正対象項目名】００２０
【補正方法】変更
【補正の内容】
【００２０】
本発明の第２の要旨は、前記少なくとも１つの化合物が、４−メチル−ジヒドロ−ピラン−２，６−ジオン、イソホロン、８−メチル−４−オキサ−トリシクロ［５．２．１．０２．６］デカ−８−エン−３，５−ジオン、６ａ−メチル−ジヒドロ−フロ［２，３−ｂ］フラン−２，５−ジオン、１，８，８−トリメチル−３−オキサ−ビシクロ［３．２．１］オクタン−２，４−ジオン、７−オキサ−ビシクロ［４．１．０］ヘプタン−３−カルボン酸  ７−オキサ−ビシクロ［４．１．０］ヘプタ−３−イルメチルエステル、１−メチル−ピロリジン−２，５−ジオンである第１の要旨に記載の電池用添加剤に存する。


【手続補正７】
【補正対象書類名】明細書
【補正対象項目名】００２１
【補正方法】変更
【補正の内容】
【００２１】
本発明の第３の要旨は、少なくとも一方が炭素質表面を有する第１電極および第２電極と電解質とを有する電池において、さらに、上記一般式（１）、（２）又は（３）で表され、分子量が１０５以上、１０００以下である添加剤を有することを特徴とする電池に存する。


【手続補正８】
【補正対象書類名】明細書
【補正対象項目名】００２２
【補正方法】変更
【補正の内容】
【００２２】
本発明の第４の要旨は、起電力物質がリチウムである第３の要旨に記載の電池に存する。


【手続補正９】
【補正対象書類名】明細書
【補正対象項目名】００２３
【補正方法】変更
【補正の内容】
【００２３】
本発明の第５の要旨は、前記一般式（１）、（２）又は（３）で表される化合物が電解質および／または炭素質表面を有する第１および／または第２電極に含有される第３又は４の要旨に記載の電池に存する。


【手続補正１０】
【補正対象書類名】明細書
【補正対象項目名】００２４
【補正方法】変更
【補正の内容】
【００２４】
本発明の第６の要旨は、第３〜５の要旨の何れかの電池に対して、少なくとも１回の充電操作を施してなる電池に存する。


【手続補正１１】
【補正対象書類名】明細書
【補正対象項目名】００２５
【補正方法】変更
【補正の内容】
【００２５】
本発明の第７の要旨は、第３〜５の要旨の何れかの電池に対して、少なくとも１回の充電操作を施すことを特徴とする不動態化層を有する電池の製造方法に存する。


【手続補正１２】
【補正対象書類名】明細書
【補正対象項目名】００２６
【補正方法】変更
【補正の内容】
【００２６】
本発明の第８の要旨は、溶剤とリチウム塩とを含有する電解液において、上記一般式（１）、（２）又は（３）で表され、分子量が１０５以上、１０００以下である添加剤を有することを特徴とする電解液に存する。